(57)【要約】【課題】  同一のチャンネル番号に対応するユーザーＩＤとマルチメディアコンテンツを表示する方法及び通信装置を提供する。【解決手段】  マルチメディアコンテンツの表示方法は、特定通信装置の現在指定マルチメディアコンテンツチャンネルを検出し、特定通信装置の現在指定の特定チャンネル番号に対応する特定マルチメディアコンテンツと、情報通信ユーザーインターフェイスを表示するステップからなる。【選択図】      図２
2007318715.tif 000002
【特許請求の範囲】
【請求項１】
マルチメディアコンテンツを特定通信装置で表示する方法であって、
特定通信装置の現在指定マルチメディアコンテンツチャンネルを検出し、
特定通信装置の現在指定の特定チャンネル番号に対応する特定マルチメディアコンテンツと、情報通信ユーザーインターフェイスを表示するステップからなることを特徴とするマルチメディアコンテンツ表示方法。
【請求項２】
前記方法は更に、
特定通信装置の現在指定マルチメディアコンテンツチャンネルを検出する前に、複数のマルチメディアコンテンツチャンネルを受信するステップを含むことを特徴とする請求項１記載のマルチメディアコンテンツ表示方法。
【請求項３】
前記特定通信装置は通信ネットワークに結合され、情報通信ユーザーインターフェイスに表示する情報を通信ネットワークから受信するか、または情報通信ユーザーインターフェイスから受信した情報を通信ネットワークに送信することを特徴とする請求項１記載のマルチメディアコンテンツ表示方法。
【請求項４】
前記情報通信ユーザーインターフェイスを表示するステップは更に、
指定されたチャンネル番号に対応する複数のユーザーＩＤを表示するステップを含むことを特徴とする請求項１記載のマルチメディアコンテンツ表示方法。
【請求項５】
前記情報通信ユーザーインターフェイスを表示するステップは更に、
指定された相応のチャンネル番号を表示するステップを含むことを特徴とする請求項４記載のマルチメディアコンテンツ表示方法。
【請求項６】
前記ユーザーＩＤは登録済のユーザーＩＤであることを特徴とする請求項４記載のマルチメディアコンテンツ表示方法。
【請求項７】
前記通信装置は、特定通信装置に現在指定されている同一の特定チャンネル番号に対応することを特徴とする請求項４記載のマルチメディアコンテンツ表示方法。
【請求項８】
前記情報通信ユーザーインターフェイスを表示するステップは更に、
情報通信ユーザーインターフェイスを介して通信装置からの使用者入力を受発信するステップを含むことを特徴とする請求項１記載のマルチメディアコンテンツ表示方法。
【請求項９】
前記通信装置は、特定通信装置に現在指定されている同一の特定チャンネル番号に対応することを特徴とする請求項８記載のマルチメディアコンテンツ表示方法。
【請求項１０】
前記通信装置は、特定通信装置に現在指定されている同一の特定チャンネル番号に対応していないことを特徴とする請求項８記載のマルチメディアコンテンツ表示方法。
【請求項１１】
前記マルチメディアコンテンツチャンネルはテレビ番組チャンネルであることを特徴とする請求項１記載のマルチメディアコンテンツ表示方法。
【請求項１２】
前記情報通信ユーザーインターフェイスを表示するステップは更に、
情報通信ユーザーインターフェイスを介して使用者入力でない受信情報を表示するステップを含むことを特徴とする請求項１記載のマルチメディアコンテンツ表示方法。
【請求項１３】
マルチメディアコンテンツを表示装置で表示する通信装置であって、
特定マルチメディアコンテンツを受信して処理し、表示装置を駆動するビデオプロセッサーと、
ビデオプロセッサーに結合されるマイクロプロセッサーと、
マイクロプロセッサーに結合され、プログラム実行コードを保存する保存装置とを含み、そのうちマイクロプロセッサーに実行されるプログラム実行コードは、
特定通信装置の現在指定マルチメディアコンテンツチャンネルを検出し、
表示装置を駆動するようにビデオプロセッサーを制御し、特定通信装置の現在指定の特定チャンネル番号に対応する特定マルチメディアコンテンツと、情報通信ユーザーインターフェイスを表示させることを内容とすることを特徴とする通信装置。
【請求項１４】
前記通信装置は、特定通信装置の現在指定マルチメディアコンテンツチャンネルを検出する前に、複数のマルチメディアコンテンツチャンネルを受信することを特徴とする請求項１３記載の通信装置。
【請求項１５】
前記通信装置は通信ネットワークに結合され、情報通信ユーザーインターフェイスに表示する情報を通信ネットワークから受信するか、または情報通信ユーザーインターフェイスから受信した情報を通信ネットワークに送信することを特徴とする請求項１３記載の通信装置。
【請求項１６】
前記マイクロプロセッサーは更に、プログラム実行コードを実行して表示装置を駆動するようにビデオプロセッサーを制御し、指定されたチャンネル番号に対応する複数のユーザーＩＤを表示させることを特徴とする請求項１３記載の通信装置。
【請求項１７】
前記マイクロプロセッサーは更に、プログラム実行コードを実行して表示装置を駆動するようにビデオプロセッサーを制御し、指定された相応のチャンネル番号を表示させることを特徴とする請求項１６記載のマルチメディアコンテンツ表示方法。
【請求項１８】
前記ユーザーＩＤは登録済のユーザーＩＤであることを特徴とする請求項１６記載の通信装置。
【請求項１９】
前記通信装置は、特定通信装置に現在指定されている同一の特定チャンネル番号に対応することを特徴とする請求項１６記載の通信装置。
【請求項２０】
前記マイクロプロセッサーは更に、プログラム実行コードを実行して表示装置を駆動するようにビデオプロセッサーを制御し、情報通信ユーザーインターフェイスを介して通信装置からの使用者入力を受発信させることを特徴とする請求項１３記載の通信装置。
【請求項２１】
前記通信装置は、特定通信装置に現在指定されている同一の特定チャンネル番号に対応することを特徴とする請求項２０記載の通信装置。
【請求項２２】
前記通信装置は、特定通信装置に現在指定されている同一の特定チャンネル番号に対応していないことを特徴とする請求項２０記載の通信装置。
【請求項２３】
前記マルチメディアコンテンツチャンネルはテレビ番組チャンネルであることを特徴とする請求項１３記載の通信装置。
【請求項２４】
前記マイクロプロセッサーは更に、プログラム実行コードを実行して表示装置を駆動するようにビデオプロセッサーを制御し、使用者入力でない受信情報を表示させることを特徴とする請求項１３記載の通信装置。
【発明の詳細な説明】
【技術分野】
【０００１】
この発明はマルチメディアコンテンツを表示するシステム及び関連方法に関し、特に動的通信を実現させる双方向マルチメディア環境及び関連方法に関する。
【背景技術】
【０００２】
従来のマルチメディアコンテンツは、テレビセット、モニターまたはその他の表示装置で静的に表示される。一方、文字入力または音声の通信は双方向かつ動的に行われる（このような通信は一般にチャットまたは対話ルームと称される）。従来の技術によれば、自分と同じ動的通信システムを利用する知人のリストを作成することが可能であり、このリストは知人リストもしくは親友リストとも呼ばれる。
【０００３】
しかし、従来の技術は動的システムと静的システムの機能を統合していないので、下記の欠点を有する。
【０００４】
まず、自分と同一のマルチメディアコンテンツを鑑賞しているその他の利用者と知り合う手段がない。また、入手可能で最も人気のあるコンテンツを判断することもできない。いわゆる「最も人気のある」とは、例えば、親友リストに載っている利用者が最も多く鑑賞するマルチメディアコンテンツと定義される。もっとも、その他の定義ももちろんありうる。静的に表示されるマルチメディアコンテンツと動的なチャットシステムが統合されていない従来の環境では、同じマルチメディアコンテンツを鑑賞している親友がいても、それとコンテンツの内容について実時間に話し合うことができない。
【０００５】
したがって、静的なマルチメディア鑑賞と、文字、音声ないし映像で他人と交流する動的・双方向の通信の間には大きなギャップが存在し、両者の統合が望ましい。
【特許文献１】米国特許第６９６５３１３号明細書
【特許文献２】米国特許第６６６１３４０号明細書
【特許文献３】米国特許第６３８８７１４号明細書
【特許文献４】米国特許公開第２００５０２７３８３０号公報
【特許文献５】米国特許公開第２００５０１９７１６４号公報
【特許文献６】米国特許公開第２００５０１５９８６３号公報
【特許文献７】米国特許公開第２００５００９１６９５号公報
【特許文献８】米国特許公開第２００５００８６２１１号公報
【特許文献９】米国特許公開第２００５００６６３６５号公報
【特許文献１０】米国特許公開第２００２０１４７７０１号公報
【特許文献１１】米国特許公開第２００２０１４７６４５号公報
【特許文献１２】米国特許公開第２００２０１４３２４１号公報
【特許文献１３】米国特許公開第２００２０１３８８４０号公報
【特許文献１４】米国特許公開第２００２００８３４５８号公報
【特許文献１５】米国特許公開第２００２００５３０７５号公報
【特許文献１６】米国特許公開第２００２００３２９０４号公報
【特許文献１７】米国特許公開第２００２００２３２３０号公報
【特許文献１８】米国特許公開第２００４００３１０５８号公報
【特許文献１９】米国特許公開第２００５００３９２１４号公報
【特許文献２０】米国特許公開第２００５００２７５３９号公報
【特許文献２１】米国特許公開第２００４０２４４０５６号公報
【特許文献２２】米国特許公開第２００４０２１６１５６号公報
【特許文献２３】米国特許公開第２００４００１０８０８号公報
【特許文献２４】米国特許公開第２００３０２１２７０８号公報
【特許文献２５】米国特許公開第２００３０２２９９００号公報
【特許文献２６】米国特許公開第２００３０２０８７５８号公報
【特許文献２７】米国特許公開第２００３０１９６２０１号公報
【特許文献２８】米国特許公開第２００３００４１３３２号公報
【特許文献２９】米国特許公開第２００３０２０８７７７号公報
【発明の開示】
【発明が解決しようとする課題】
【０００６】
この発明は前述の問題を解決するため、同一のチャンネル番号に対応するユーザーＩＤとマルチメディアコンテンツを表示する方法及び通信装置を提供することを課題とする。
【課題を解決するための手段】
【０００７】
この発明はマルチメディアコンテンツを特定通信装置で表示する方法を提供する。該方法は、特定通信装置の現在指定マルチメディアコンテンツチャンネルを検出し、特定通信装置の現在指定の特定チャンネル番号に対応する特定マルチメディアコンテンツと、情報通信ユーザーインターフェイスを表示するステップからなる。
【０００８】
この発明は更にマルチメディアコンテンツを表示装置で表示する通信装置を提供する。該通信装置は、特定マルチメディアコンテンツを受信して処理し、表示装置を駆動するビデオプロセッサーと、ビデオプロセッサーに結合されるマイクロプロセッサーと、マイクロプロセッサーに結合され、プログラム実行コードを保存する保存装置とを含む。そのうちマイクロプロセッサーに実行されるプログラム実行コードは、特定通信装置の現在指定マルチメディアコンテンツチャンネルを検出し、表示装置を駆動するようにビデオプロセッサーを制御し、特定通信装置の現在指定の特定チャンネル番号に対応する特定マルチメディアコンテンツと、情報通信ユーザーインターフェイスを表示させることを内容とする。
【発明の効果】
【０００９】
この発明は、同一のチャンネルを鑑賞している複数の通信装置間の通信を可能にすることで、静的に限られたマルチメディアの鑑賞環境を大幅に改善する。
【発明を実施するための最良の形態】
【００１０】
かかる装置及び方法の特徴を詳述するために、具体的な実施例を挙げ、図を参照にして以下に説明する。
【００１１】
本明細書におけるシステム素子の呼称は、当業者・利用者によって異なりうるので、必ずしも下記の用語に限らない。そのため、以下は呼称でなく機能で素子を特定することとする。また、「含む」、「有する」ないし「備える」などの意味については限定的にとらず、列挙されたもの以外の素子を含むこともありうる。なお、「結合する」とは直接または間接の電気的接続を意味し、「第一装置が第二装置に結合される」とは、両装置が直接に接続されるか、またはその他の装置を介して間接に接続されることをさす。
【００１２】
図１を参照する。図１はこの発明による通信システム１０を表す説明図である。通信システム１０は通信ネットワーク１２と、サーバー１４と、複数の通信装置１６ａ−１６ｃを含む。説明を簡潔にまとめるため、ここで３個の通信装置１６ａ−１６ｃのみ示すとする。つまり、この発明による通信システム１０の通信装置１６ａ−１６ｃの数量はそれに限らない。この発明による通信ネットワークは、テレビプロバイダーネットワーク（例えばケーブルテレビネットワーク）、インターネット、コンピューター通信ネットワークまたはその他の組み合わせである。換言すると、通信装置１６ａ−１６ｃとサーバー１４は、ケーブルネットワークシステムまたはその他のネットワークを介して無線または有線で接続されている。通信ネットワーク１２はサーバー１４と各通信装置１６ａ、１６ｂ、１６ｃ間のインターフェイスとして働き、通信装置１６ａ−１６ｃにおいてデータの書き込み、及びサーバー１４よりデータの読み込みを可能にする。
【００１３】
図２を参照する。図２はこの発明による通信装置に表示されるユーザーインターフェイス１００を表す説明図である。ユーザーインターフェイス１００はマルチメディアコンテンツを表示する主要表示領域（テレビウィンドウ１１０）を有する。ユーザーインターフェイス１００は、テレビセット、高画質デジタルテレビセットまたはその他の表示装置に含まれるスクリーンで表示され、そのうちテレビウィンドウ１１０は利用者が現在鑑賞している（すなわち利用者に選択／指定された）テレビ番組を表示する。ユーザーインターフェイスのその他の領域については下記を参照する。もっとも注意すべきは、下記その他の領域は必ずしも必要とされず、主要表示領域を全画面で表示することも可能である。全画面モードに入れば、ユーザーインターフェイス１００はテレビウィンドウ１１０のみ含むこととなる。そうすると、テレビウィンドウ１１０はアクティブ表示領域全体を占めるようになり、下記その他の領域は非表示となる。
【００１４】
図２によれば、親友リスト１２０はテレビウィンドウ１１０の右側にある。親友リスト１２０の内容は通信装置１６ａ−１６ｃの利用者によって指定され、その表示内容はさまざまな可能性がある。例えば指定された親友をすべて表示するか、同一のマルチメディアコンテンツを鑑賞している親友のみ表示するか、または親友かどうかにかかわらず同一のマルチメディアコンテンツを鑑賞している利用者をすべて表示することが、いずれも可能である。なお、種々の形式で（色または動画）親友リスト１２０の中、同一のマルチメディアコンテンツを鑑賞している親友を標記し、そのオンライン状態またはオフライン状態（同一のマルチメディアコンテンツ鑑賞中かそうでないか）を区別することもできる。親友リスト１２０の設定は周知されているので、それに関する詳しい説明はここで省略とする。この発明の一実施例によれば、親友リスト１２０にはテレビウィンドウ１１０に表示される同一のチャンネルを鑑賞している利用者が示されている。これらの利用者は複数のロケーションから通信装置を利用して通信ネットワーク１２と接続している。またその他の実施例によれば、親友リスト１２０には特定通信装置に指定されたチャンネル番号とは関係なく、通信ネットワーク１２に接続しているすべての通信装置が表示されている。もっとも、親友リスト１２０の表示形式ほかにも多数あり、そのいずれもこの発明の範囲に属する。
【００１５】
図２によれば、チャットウィンドウ１３０はテレビウィンドウ１１０の下方にある。それを利用して、テレビウィンドウ１１０に表示される同一のテレビ番組を鑑賞しているほかの利用者と交信することができる。つまり、同好の利用者とチャットで話し合って友達をつくることができる。このようにマルチメディアコンテンツの静的表示と、双方向で動的なインターフェイスを統合することで、テレビウィンドウ１１０に表示されるマルチメディアコンテンツはチャットウィンドウ１３０によって機能が補強され、コンテンツの内容についてほかの利用者と意見を交換することが可能となる。チャットウィンドウ１３０のその他の表示形式は周知されているので、それに関する詳しい説明はここで省略とする。また、その他の実施例として、親友リスト１２０とチャットウィンドウ１３０を通信ユーザーインターフェイスに統合することも可能である。通信ユーザーインターフェイスという用語は、ユーザーインターフェイス１００のマルチメディア部分（テレビウィンドウ１１０）とその他の部分（親友リスト１２０とチャットウィンドウ１３０からなる通信ユーザーインターフェイス）を区別するために使われる。
【００１６】
図３を参照する。図３は図２に示すチャットウィンドウ１３０を表す説明図である。図３は一例を示すに過ぎず、この発明を限定するものではない。チャンネル領域２５２は現在の利用者／チャンネル（フォーラム）を表示する。チャンネル領域２５２に表示される利用者はすべてチャット／通信の対象に選ぶことができる。それに加えて、チャンネル領域２５２はフォーラムも表示する。この場合、フォーラム内容の表示と利用者間の通信は同時に行える。図３によれば、選択領域２５４において親友Ｂが通信対象であることが表示され、チャットウィンドウ１３０で親友Ｂと通信中の利用者は、親友Ｂに送るメッセージ２５６を入力している。注意すべきは、チャットウィンドウ１３０はニュースまたは広告を表示することができる。つまり、チャットウィンドウ１３０は双方向に限らず、広告、ニュースまたはその他テキスト、もしくはその他の形式の情報を表示することができる。
【００１７】
そのほか、利用者と親友Ｂ間のメッセージ記録を表示するメッセージ記録／実時間チャンネル討論領域２５８と、親友数及び／またはフォーラム数が表示可能の範囲を超えたときに、チャンネル領域２５２を上下にスクロールするスクロールバー２６０と、入力中のメッセージ２５６の表題欄であるメッセージバー２６２も表示されている。
【００１８】
図４を参照する。図４は図１に示す通信装置１６ａのブロック図である。通信装置１６ａ−１６ｃの回路構成は同一であるので、ここで通信装置１６ａのみ示すとする。もっとも、図に示すものに限らず、下記の機能と動作を備えるすべての装置は、この発明の通信装置にあたる。図４によれば、ビデオソース２１０に無線または有線で結合される通信装置１６ａは、所要のビデオ信号（すなわちソース信号）を通信システム１０に提供する。ビデオソース２１０は例えば、デジタルテレビサービスプロバイダーによるデジタルテレビ信号である。通信装置１６ａでは、ビデオソース２１０に結合されるビデオプロセッサー（例えばビデオデコーダー）２１１は、ビデオソース２１０からビデオ信号を受信して処理／複合化することで、選択／指定されたチャンネル（例えばテレビ番組チャンネル）に対応するビデオデータを生成し、更にビデオデータに基づいて表示装置２１６を駆動し、図２に示すユーザーインターフェイス１００を表示させる。そうすると、テレビウィンドウ１１０は利用者に指定されたチャンネルに対応するマルチメディアコンテンツを表示しはじめる。ビデオプロセッサー２１１の機能と動作は周知されているので、これに関する詳しい説明を省略とする。ビデオプロセッサー２１１に結合されるマイクロプロセッサー２１５は、保存装置（例えばフラッシュメモリー）に保存されているプログラム実行コード２１７を実行する。マイクロプロセッサー２１５に実行されたプログラム実行コード２１７は、図２に示すユーザーインターフェイス１００を表示するようにビデオプロセッサー２１１を制御する。プログラム実行コード２１７の動作については、下記図５に関する説明を参照する。
【００１９】
ビデオプロセッサー２１１は、テレビウィンドウ１１０でマルチメディアコンテンツを表示できるように、ビデオソース２１０によるビデオ信号に対応するビデオデータを拡縮する。ビデオプロセッサー２１１は更に、プログラム実行コード２１７を実行するマイクロプロセッサー２１５の指令とデータに応じ、チャットウィンドウ１３０でチャット情報を表示するとともに、親友リスト１２０で親友情報を表示する。表示装置２１６は、テレビセット、高画質デジタルテレビセットの表示スクリーンまたはその他の表示装置である。注意すべきは、通信装置１６ａはテレビセット（例えばデジタルテレビ）、テレビセットに接続されたセットトップボックス、またはテレビセットとセットトップボックスから独立した装置である。図１に示す通信装置１６ａ−ｃは、パーソナルコンピューター、セットトップボックス、テレビセットまたはその他の組み合わせである。もっとも、その他ありうる設計もこの発明に属する。
【００２０】
なお、リモートコントローラー（非表示）、タッチパッド（非表示）、スクリーン制御（非表示）または音声認識システム（非表示）の音声指令で通信装置１６ａを制御することも可能である。通信装置１６ａのその他の制御方法もこの発明の範囲に属する。
【００２１】
図５を参照する。図５はこの発明によるマルチメディア表示及び通信のフローチャートである。下記方法は前掲通信装置１６ａ、１６ｂ、１６ｃに適用される。
【００２２】
ステップ３００：開始。
【００２３】
ステップ３１０：ユーザーＩＤを登録する。
【００２４】
ステップ３２０：通信装置の現在指定コンテンツチャンネルを検出する。
【００２５】
ステップ３３０：コンテンツチャンネルを登録する。
【００２６】
ステップ３４０：チャンネルに対応する登録済ユーザーＩＤを表示する。
【００２７】
ステップ３５０：双方向ウィンドウを表示する。
【００２８】
ステップ３６０：双方向ウィンドウのデータを受発信する。
【００２９】
ステップ３７０：終了。
【００３０】
ここで図４に示す通信装置１６ａを例に挙げる。ステップ３１０において、マイクロプロセッサー２１５はプログラム実行コード２１７を実行し、通信ネットワーク１２を介してユーザーＩＤをサーバー１４に登録する。もっとも注意すべきは、ステップ３１０は省略可能である。通信ネットワーク１２に加入した通信装置１６ａ−１６ｃまたはその他の通信装置は、従来のプロトコールやネットワーク技術で作動する。また、複数の通信装置１６ａ−ｃを備える通信システム１０では、複数の通信装置１６ａ−ｃに対応する複数のユーザーＩＤはすべてサーバー１４に登録される。次にステップ３２０において、プログラム実行コード２１７を実行するマイクロプロセッサー２１５は、通信装置１６ａの現在指定マルチメディアコンテンツチャンネルを検出する。注意すべきは、通信装置１６ａ−ｃは、現在指定マルチメディアコンテンツチャンネルを検出する前に、ビデオソース２１０から複数のマルチメディアコンテンツチャンネルをそれぞれ受信する。それについでステップ３３０では、マイクロプロセッサー２１５はプログラム実行コード２１７を実行し、通信ネットワーク１２を介して現在指定チャンネルの番号をサーバー１４に登録する。言い換えれば、通信装置１６ａの利用者が、例えばリモートコントローラーであるマルチメディアコンテンツチャンネルを選ぶと、当該チャンネルはサーバー１４に登録されるようになる。その後、ステップ３４０では、通信装置１６ａの現在指定のチャンネル番号に対応するマルチメディアコンテンツを表示するとともに、マイクロプロセッサー２１５はプログラム実行コード２１７を実行し、表示装置２１６を駆動するようにビデオプロセッサー２１１を制御し、同一のマルチメディアコンテンツチャンネルを鑑賞しているほかの利用者のユーザーＩＤを表示させる。これは、登録済ユーザーＩＤと、図５に示す方法でユーザーＩＤを登録したその他通信装置の現在指定チャンネル番号を照合することで行われる。もっとも注意すべきは、ステップ３４０は省略可能である。登録されていない通信装置１６ａ−ｃは「未登録」、「匿名」またはその他類似の表現で示される。ステップ３５０では、同一のチャンネルを鑑賞しているその他の通信装置との通信（チャット）を表示するチャットウィンドウ１３０が表示される。最後にステップ３６０において、チャットウィンドウ１３０で、同一のチャンネル番号に対応するユーザーＩＤを有する通信装置からの利用者入力は受発信される。換言すれば、通信装置１６ａのキーボードまたはその他の入力装置でチャットデータをチャットウィンドウ１３０に入力すると、入力データは同一のチャンネルを鑑賞しているすべての通信装置（通信装置１６ｂ、１６ｃ）のチャットウィンドウ１３０に表示されるようになる。
【００３１】
通信装置１６ａはその他の通信装置１６ｂ−ｃとともに通信システム１０に含まれ、各通信装置１６ａ、１６ｂ、１６ｃは親友リスト１２０の中の親友にあたる。図５に示す方法は複数の通信装置がある場合でも実行できる。複数の通信装置がある場合では、各通信装置は図５に示す方法を各自実行する。
【００３２】
その他可能な実施例では、前記ウィンドウ（例えばテレビウィンドウ１１０、チャットウィンドウ１３０）はいずれも、広告などのマルチメディアコンテンツを表示するサブウィンドウを含む。また、図２と図３に示す環境に対し、他種のマルチメディアコンテンツを表示するウィンドウを追加し、ウィンドウを多層化させ、ないしその他の方法でウィンドウを統合させるなど、従来の技術で容易になしうる変化は、いずれもこの発明の範囲に属する。
【００３３】
またその他可能な実施例では、通信ネットワーク１２に加入したすべての利用者は親友リスト１２０に表示される。通信装置が登録されていない（登録は必ずしも必要ではない）場合では、未登録の通信装置は親友リスト１２０で「ゲスト」、「匿名」またはその他類似の表現で示される。
【００３４】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００３５】
この発明は、同一のチャンネルを鑑賞している複数の通信装置間の通信を可能にすることで、静的に限られたマルチメディアの鑑賞環境を大幅に改善する。
【図面の簡単な説明】
【００３６】
【図１】この発明による通信システムを表す説明図である。
【図２】この発明による通信装置に表示されるユーザーインターフェイスを表す説明図である。
【図３】図２に示すチャットウィンドウを表す説明図である。
【図４】図１に示す通信装置のブロック図である。
【図５】この発明によるマルチメディア表示及び通信のフローチャートである。
【符号の説明】
【００３７】
１０    通信システム
１２    通信ネットワーク
１４    サーバー
１６ａ−ｃ  通信装置
１００  ユーザーインターフェイス
１１０  テレビウィンドウ
１２０  親友リスト
１３０  チャットウィンドウ
２１０  ビデオソース
２１１  ビデオプロセッサー
２１３  保存装置
２１５  マイクロプロセッサー
２１６  表示装置
２１７  プログラム実行コード
２５２  チャンネル領域
２５４  選択領域
２５６  入力中のメッセージ
２５８  メッセージ記録／実時間チャンネル討論領域
２６０  スクロールバー
２６２  メッセージバー
【図１】
2007318715.tif 000003
【図２】
2007318715.tif 000004
【図３】
2007318715.tif 000005
【図４】
2007318715.tif 000006
【図５】
2007318715.tif 000007